(57)【要約】【課題】  土壌やゼオライトに含有される放射性物質、特に放射性セシウムを簡易な操作で簡便に除去することにより、土壌やゼオライト等の浄化を目的とする放射能汚染物質の洗浄剤を提供し、特に、放射能汚染物質の洗浄剤を使用して、放射性物質で汚染された土壌やゼオライト等に含有される放射性物質を周囲温度で短時間のうちに除去し、以って放射性物質を含有しない土壌やゼオライト等を得る方法を提供すること。【解決手段】  水、１または複数の酸性物質、アルカリ金属塩化物またはアルカリ土類金属塩化物、アルカリ金属フッ化物またはアルカリ土類金属フッ化物、および分散剤を含む、放射能汚染物質洗浄剤。【選択図】なし【特許請求の範囲】
【請求項１】
水、１または複数の酸性物質、アルカリ金属塩化物またはアルカリ土類金属塩化物、アルカリ金属フッ化物またはアルカリ土類金属フッ化物、および分散剤を含む、放射能汚染物質洗浄剤。
【請求項２】
酸性物質が、塩酸、硫酸、硝酸、リン酸、シュウ酸、クエン酸、酒石酸、アスコルビン酸、乳酸、およびスルファミン酸からなる群より選択される、請求項１に記載の洗浄剤。
【請求項３】
分散剤が、ポリエチレングリコール、ヒドロキシエチルセルロース、ヒドロキシプロピルセルロースおよびこれらの２以上の混合物からなる群から選択される、請求項１または２に記載の洗浄剤。
【請求項４】
放射能汚染物質が放射性セシウムを含む、請求項１〜３のいずれか１項に記載の洗浄剤。
【請求項５】
１または複数の酸性物質、アルカリ金属塩化物またはアルカリ土類金属塩化物、アルカリ金属フッ化物またはアルカリ土類金属フッ化物、および分散剤を含む、放射能汚染物質洗浄剤と、放射性物質を含む土壌またはゼオライトとを接触させ、土壌またはゼオライトに含有する放射性物質をイオン交換によって除去し、放射性物質を含有しない土壌またはゼオライトと放射性物質汚染水とを得る、放射性物質を含む土壌またはゼオライトを洗浄する方法。
【請求項６】
該放射能汚染物質洗浄剤と、放射性物質を含む土壌またはゼオライトとを混合し、撹拌することにより接触させる、請求項５に記載の方法。
【請求項７】
酸性物質が、塩酸、硫酸、硝酸、リン酸、シュウ酸、クエン酸、酒石酸、アスコルビン酸、乳酸、およびスルファミン酸からなる群より選択される、請求項５または６に記載の方法。
【請求項８】
分散剤が、ポリエチレングリコール、ヒドロキシエチルセルロース、ヒドロキシプロピルセルロースおよびこれらの２以上の混合物からなる群から選択される、請求項５〜７のいずれか１項に記載の方法。
【請求項９】
放射性物質が放射性セシウムである、請求項５〜８のいずれか１項に記載の方法。
【請求項１０】
該放射性物質汚染水と、シクロデキストリンと有機二塩基酸または有機二塩基酸ハロゲン化物とが縮合したシクロデキストリンポリマーとを接触させて、放射性物質を該シクロデキストリンポリマーに選択的に固着させる工程をさらに含む、請求項５〜９のいずれか１項に記載の方法。
【発明の詳細な説明】
【技術分野】
【０００１】
本発明は放射性汚染物質の洗浄剤に関するものである。さらに本発明は、原子力発電所や放射性同位元素取扱等事業所をはじめとする原子力関連施設から放出され、土壌に吸着された放射性物質の除去や、除染作業により発生した放射能汚染物質を浄化するための洗浄剤およびそれを用いた洗浄方法に関する。特に、原子力関連施設の事故に伴い発生した放射性物質を含む土壌やゼオライトから放射性物質を効率よく分離除去し、周辺住民や作業者の被ばくを最小限に抑えることを可能にする洗浄剤およびその洗浄方法に関するものである。より詳細には、本発明は、特に土壌やアスファルト、コンクリート、金属類、無機吸着材に放射性物質が吸着した場合に、これを除去することのできる洗浄剤、および、これを用いて放射性物質を実質的に含有しない土壌やアスファルト、コンクリート、金属類、無機吸着材を得る方法に関する。本発明は、水に１または複数の酸性物質、アルカリ金属塩化物またはアルカリ土類金属塩化物、アルカリ金属フッ化物またはアルカリ土類金属フッ化物および分散剤を溶解させることにより得ることができる洗浄剤を用いて、土壌やアスファルト、コンクリート、金属類、無機吸着材に吸着された放射性物質を選択的に除去する方法に関する。
【背景技術】
【０００２】
環境中に大量に放出された放射性セシウム（Cs134、Cs137）は、人体や動植物に対して強い毒性を示す化合物である。特に放射性セシウム（Cs137）は、生体内での振る舞いがカリウムやルビジウムによく似ているため、体内に吸収され、β、γ線による内部被ばくを引き起こす。また、放射性セシウム（Cs137）は、半減期約30.1年のβ、γ核種であり、有害性が長期間に渡って持続する。このため、放射性セシウム（Cs134、Cs137）が大気中に放出されて、これが土壌等に吸着された場合は、直ちに除去する必要がある。
【０００３】
放射性セシウムを含む放射能汚染物質の浄化技術としては、超音波、プルシアンブルー、シュウ酸を用いる手法が開発されている。しかしながら超音波を用いる物理的な手法は、大量に存在する放射能汚染物質の浄化処理が困難であり、またプルシアンブルーなどの不燃性の無機物質を用いる手法は、放射能汚染物を吸着させた物質の減容処理が困難であるという問題がある。一方、シュウ酸などの有機溶媒を用いる方法は、有機溶媒自体の毒性の問題があり、これを大量に使用する場合には、別の危険性を伴い得るという問題があった。
【０００４】
例えば、特許文献１（特開２００６−７８３３６号）には、原子力施設から発生する除染対象物を、アルカリ除染工程と酸除染工程とに付し、アルカリ除染槽が振動撹拌機及び／又は超音波振動子を有するものである、放射性物質除去方法が開示されている。超音波振動子を用いる方法は、大量に存在する放射能汚染物質や、大型の放射能汚染物質の除染は極めて困難である。
【０００５】
特許文献２（特開２０１１−２００８５６号）には、プルシアンブルー型金属錯体を導電体上に配設した複合材料に所定の陽イオンを含有する溶液を接触させて陽イオンをプルシアンブルー型金属錯体に吸着させることによる、液体に含まれる陽イオンを除去する方法が開示されている。金属錯体を用いる本方法は、確実に放射性物質である陽イオンを除去することができるが、大量に存在する放射性汚染物質を除染することは難しい。
【０００６】
特許文献３（特開平６−５９０９５号）には、放射能汚染物をｄ−リモネンを用いて除染する方法が開示されている。リモネン自体の毒性が比較的低く、放射能汚染物を除染する方法として有効であると考えられるが、より簡易に入手でき、効率的な除染作業が可能な洗浄剤の開発が望まれる。
【０００７】
非特許文献１には、低濃度の酸水溶液を使用してセシウムを水溶液中に抽出した後、プルシアンブルーで放射性セシウムを回収する、放射性セシウム抽出−回収する方法が開示されている。非特許文献１に開示される方法は、セシウムを効率的に回収することができるが、セシウムを吸着後のプルシアンブルーをどのように処理するかについては何ら開示されていない。
【０００８】
このような従来技術に鑑みて、本発明者らは土壌やゼオライトに含有される放射性物質を効率的に除去することができる洗浄剤を提案した（特許文献４）。特許文献４にて提案した洗浄剤は、水、酸性溶媒、金属塩化物、および分散剤ならびに場合により界面活性剤を含むものである。そして特許文献４に開示される洗浄剤を用いた汚染土壌の洗浄方法は、該洗浄剤と放射性物質汚染土壌等とを接触させ、汚染土壌等に含有された放射性物質をイオン交換によって水中に溶解させて、放射性物質を含有しない土壌等と放射性物質汚染水とを得て、次いで放射性物質汚染水と特定のシクロデキストリンポリマー（選択固着剤）とを接触させて該放射性物質汚染水に含まれる放射性物質をシクロデキストリンポリマーに選択的に固着させることを任意に含む。特許文献４の洗浄剤は放射性物質により汚染された土壌等を効果的に除染することができるが、この洗浄剤を上記のような方法で使用するにあたっては、さらに解決すべき点がある。
【０００９】
放射能汚染土壌を洗浄してその後の再利用を可能とするには、洗浄土壌の放射線量を３０００Ｂｑ／ｋｇ以下程度にまで低下させる必要がある。しかしながら従来の洗浄剤を用いて汚染土壌を洗浄すると、このレベルまで放射線量を低下させるには複数回の洗浄が必要であった。また、１回の洗浄操作に必要となる洗浄剤の容積が大きく、さらに上記の理由で複数回の洗浄が必須となる場合は、洗浄剤の使用量が多量になりうる。さらに従来の洗浄剤は、放射能汚染物質と接触させるために数時間〜数日にわたり撹拌する必要があり、短期間の除染作業が困難となる場合があった。
【先行技術文献】
【特許文献】
【００１０】
【特許文献１】特開２００６−７８３３６号
【特許文献２】特開２０１１−２００８５６号
【特許文献３】特開平６−５９０９５号
【特許文献４】特願２０１２−４２９７０号
【非特許文献】
【００１１】
【非特許文献１】日本経済新聞  ２０１１年８月３１日  独立行政法人産業総合研究所プレスリリース
【発明の概要】
【発明が解決しようとする課題】
【００１２】
本発明は、土壌やゼオライトに含有される放射性物質、特に放射性セシウムを簡易な操作で簡便に除去することにより、土壌やゼオライト等の浄化を目的とする放射能汚染物質の洗浄剤を提供することを目的とする。特に本発明は、放射能汚染物質の洗浄剤を使用して、放射性物質で汚染された土壌やゼオライト等に含有される放射性物質を周囲温度で短時間のうちに除去し、以って放射性物質を含有しない土壌やゼオライト等を得る方法を提供する。
【００１３】
本発明者らは、水、１または複数の酸性物質、アルカリ金属塩化物またはアルカリ土類金属塩化物、アルカリ金属フッ化物またはアルカリ土類金属フッ化物および分散剤含む洗浄剤を使用して、土壌やゼオライト等の中に吸着された放射性物質を除去し、放射性物質を含まない土壌やゼオライト等を回収できることを見いだした。この洗浄剤を、放射性物質を含む土壌やゼオライト等に直接投入する等して洗浄剤と土壌等とを接触させ、撹拌する等の方法により、効率的に放射性物質を除去できる。
【００１４】
本発明の態様は以下の通りである。
［１］  水、１または複数の酸性物質、アルカリ金属塩化物またはアルカリ土類金属塩化物、アルカリ金属フッ化物またはアルカリ土類金属フッ化物、および分散剤を含む、放射能汚染物質洗浄剤。
［２］  酸性物質が、塩酸、硫酸、硝酸、リン酸、シュウ酸、クエン酸、酒石酸、アスコルビン酸、乳酸、およびスルファミン酸からなる群より選択される、上記［１］の洗浄剤。
［３］  分散剤が、ポリエチレングリコール、ヒドロキシエチルセルロース、ヒドロキシプロピルセルロースおよびこれらの２以上の混合物からなる群から選択される、上記［１］または［２］に記載の洗浄剤。
［４］  放射能汚染物質が放射性セシウムを含む、上記［１］〜［３］のいずれか１項に記載の洗浄剤。
［５］  １または複数の酸性物質、アルカリ金属塩化物またはアルカリ土類金属塩化物、アルカリ金属フッ化物またはアルカリ土類金属フッ化物、および分散剤を含む、放射能汚染物質洗浄剤と、放射性物質を含む土壌またはゼオライトとを接触させ、土壌またはゼオライトに含有する放射性物質をイオン交換によって除去し、放射性物質を含有しない土壌またはゼオライトと放射性物質汚染水とを得る、放射性物質を含む土壌またはゼオライトを洗浄する方法。
［６］  該放射能汚染物質洗浄剤と、放射性物質を含む土壌またはゼオライトとを混合し、撹拌することにより接触させる、上記［５］に記載の方法。
［７］  酸性物質が、塩酸、硫酸、硝酸、リン酸、シュウ酸、クエン酸、酒石酸、アスコルビン酸、乳酸、およびスルファミン酸からなる群より選択される、上記［５］または［６］に記載の方法。
［８］  分散剤が、ポリエチレングリコール、ヒドロキシエチルセルロース、ヒドロキシプロピルセルロースおよびこれらの２以上の混合物からなる群から選択される、上記［５］〜［７］のいずれか１項に記載の方法。
［９］  放射性物質が放射性セシウムである、上記［５］〜［８］のいずれか１項に記載の方法。
［１０］  該放射性物質汚染水と、シクロデキストリンと有機二塩基酸または有機二塩基酸ハロゲン化物とが縮合したシクロデキストリンポリマーとを接触させて、放射性物質を該シクロデキストリンポリマーに選択的に固着させる工程をさらに含む、上記［５］〜［９］のいずれか１項に記載の方法。
【００１５】
以下、本発明を詳細に説明する。
【課題を解決するための手段】
【００１６】
本発明において、放射能汚染物質とは、放射性物質を含み、汚染された状態の全ての物質を指す。例えば、放射性物質である放射性ヨウ素、放射性セシウム、放射性ストロンチウム、放射性プルトニウム、トリチウムなどを含有する水、土、大気のほか、放射性物質と接触した紙類、衣類など、放射性物質で汚染されうる全てのものを意味する。特に本発明の放射能汚染物質洗浄剤は、放射性物質で汚染された固体物質、特に土壌またはゼオライトの洗浄に有効である。
【００１７】
土壌に含まれている２：１型層状ケイ酸塩鉱物は、ケイ素と酸素とからなるシート（ケイ素四面体シート）アルミニウムと酸素とからなるシート（アルミニウム八面体シート）を挟んだ構造を有する層を一単位として、これらが積み重なってできていることが知られている。このうち、ケイ素四面体シートのケイ素の一部がアルミニウムに置き換わる、あるいはアルミニウム八面体シートのアルミニウムの一部がケイ素に置き換わること（同型置換）で、シート全体が負電荷を有している。この様子を模式的に示した図が図１である。通常、隣接するケイ素四面体シートとケイ素四面体シートとの層間にナトリウムイオン、カルシウムイオン、カリウムイオンなどの陽イオンが入ることにより負電荷が中和された状態になる。
【００１８】
ケイ素四面体シートを上から見た模式図（図２）に表されるように、ケイ素四面体シートにはセシウムイオン、カリウムイオン、アンモニウムイオンとほぼ同じ大きさの穴が空いており、ここにこれらの陽イオンが固定されやすくなっている。これはセシウムイオンが環境中に放出された場合、ケイ素四面体シートの穴に取り込まれ、しっかり固定され易いことを意味する（図３）。このため、セシウムイオンは土壌に取り込まれると、通常の洗浄剤による通常の洗浄方法では除染することが困難であり、長期間にわたり土壌中に残存するおそれがある。したがってセシウムイオンが取り込まれた土壌を洗浄するための洗浄剤は、まず土壌を均一に水中に分散させて洗浄剤との接触面積を増やす作用を有すること、次いで分散した土壌中からセシウムイオンを引きはがす作用を有すること、そして引きはがしたセシウムイオンを土壌から追い出す作用を有することが求められる。
【００１９】
本発明者らは、放射性セシウムを含有する土壌あるいはゼオライトにおいて、効率的な除染効果が得られる洗浄剤組成物及び浄化方法について鋭意研究した結果、酸性溶媒による土壌あるいはゼオライト内のカチオン性低減効果と塩化物の使用による放射性セシウムの置換効果、分散剤の使用による土壌あるいはゼオライトを水中に拡散する効果を知見し、特許文献４に係る洗浄剤を完成させた。
【００２０】
しかしながら、上記の通り、この洗浄剤を用いて洗浄土壌の再利用が可能なレベルを達成しようとすると、複数回、長時間にわたり除染操作が必要となる場合があったため、より短時間で、簡便な作業により、きわめて低い放射線量レベルにまで低減させることのできる洗浄剤の開発が待たれていた。本発明者らは、ケイ素四面体シートを破壊する作用を有するフッ化物イオンを洗浄剤に導入すると、より効率的に汚染土壌の除染を行うことができることを見いだした。
【００２１】
本発明の一態様は、１または複数の酸性物質、アルカリ金属塩化物またはアルカリ土類金属塩化物、アルカリ金属フッ化物またはアルカリ土類金属フッ化物および分散剤含む洗浄剤である。
【００２２】
本発明の放射能汚染物質洗浄剤に含まれる水は、以下に説明する洗浄成分を溶解するための溶剤のひとつであり、通常洗浄剤に用いられるレベルの純度を有する水であればよい。精製水、純水、脱イオン水などを好適に用いることができる。
【００２３】
本発明の放射能汚染物質洗浄剤に含まれる酸性物質は、土壌またはシルト中に含まれる２：１型層状ケイ酸塩鉱物に存在する負電荷を弱め、これを中和する働きをする。２：１型層状ケイ酸塩鉱物に存在する負電荷を酸性溶媒が弱め、負電荷に強く固定されたセシウムイオンを引きはがしやすくすることができる。水溶液の状態で酸性を示すものであれば、どのような酸性物質を用いてもよいが、２：１型層状ケイ酸塩鉱物に存在する負電荷を弱める作用を有する好適な酸性物質としては、強酸性を示す塩酸、硫酸、硝酸、またはリン酸が挙げられ、そのほか、シュウ酸、クエン酸、酒石酸、アスコルビン酸、乳酸、およびスルファミン酸等の有機酸が挙げられ、これらの２以上の混合物を用いることもできる。酸性物質は、水の重量に対して０．０５％〜２０％、好ましくは０．１％〜１０％、さらに好ましくは０．５％〜５％混合することができる。
【００２４】
アルカリ金属塩化物またはアルカリ土類金属塩化物は、金属塩化物中の金属陽イオンが、土壌から引きはがされたセシウムイオンと置換することにより、セシウムイオンを洗浄剤中に追い出す働きをする。金属塩化物であれば如何なる金属塩化物を用いてもよいが、金属陽イオン部分が比較的セシウムイオンと置き換わりやすい金属塩化物として、塩化リチウム、塩化ナトリウム、塩化カリウム、塩化セシウム、塩化マグネシウム、塩化カルシウム、塩化ストロンチウム、または塩化バリウムが挙げられこれらの２以上の混合物を用いることが好適である。例えば金属塩化物として塩化マグネシウムを用いた場合、２価のセシウムイオンが２価のマグネシウムイオンと置換することにより、セシウムイオンが洗浄剤中に放出されることになる。アルカリ金属塩化物またはアルカリ土類金属塩化物は、水の重量に対して０．０５％〜５０％、好ましくは０．１％〜４０％、さらに好ましくは０．５％〜３０％混合することができる。
【００２５】
アルカリ金属フッ化物またはアルカリ土類金属フッ化物は、金属フッ化物中のフッ化物イオンがケイ素四面体シートを破壊する作用を有するため、好適に用いることができる（図４）。フッ化物イオンは ケイ素四面体シートを構成しているケイ素と反応し、ケイ素−酸素結合を切断する。これによりケイ素四面体シートの構造が崩壊し、セシウムイオン内包の空間が広がることで、セシウムイオンを容易に抽出可能となる。金属フッ化物であれば如何なる金属塩を用いてもよいが、周囲温度での安定性等を考慮して、たとえばフッ化ナトリウム、フッ化カリウム、フッ化マグネシウム、フッ化カルシウムが挙げられ、これらの２以上の混合物を用いることも可能である。アルカリ金属フッ化物またはアルカリ土類金属フッ化物は、水の重量に対して０．０５〜２０％、好ましくは０．１〜１０％、さらに好ましくは０．５〜５％混合することができる。
【００２６】
分散剤は、土壌中の土や砂を均一に分散させ、水中に拡散させやすくする働きがある。すなわち分散剤は土壌と本発明の洗浄剤の洗浄成分とをよく接触させるために使用する。分散剤は、土壌に吸着する親油性部位と、水と親和性を有する親水性部位とをあわせもつ化合物であることが好ましい。本発明に用いる分散剤として、ポリエチレングリコール、ヒドロキシエチルセルロース、またはヒドロキシプロピルセルロースが好適である。これらの分散剤の２以上を混合して用いることもできる。分散剤は、水の重量に対して０．１％〜２０％、好ましくは０．５％〜１０％、さらに好ましくは１％〜５％混合することができる。
【００２７】
ここで本発明において分散剤は、比較的高い粘度を有することが好ましい。分散剤は、たとえば、３００ｍＰａ・秒以上、好ましくは１０００ｍＰａ・秒以上、さらに好ましくは３０００ｍＰａ・秒以上の粘度を有することができる。分散剤が高い粘性を有すると、分散剤自体が土壌中の土や砂を均一に分散させ、効果的に水中に拡散させることができる。
【００２８】
本発明の放射能汚染物質洗浄剤には、必要に応じて界面活性剤を添加することができる。界面活性剤は、分散剤と同様に、土壌中の土や砂を均一に分散させ、水中に拡散させやすくする働きがある。広く用いられている陽イオン界面活性剤、陰イオン界面活性剤、両性界面活性剤、ノニオン性界面活性剤のうち都合のよい界面活性剤を適宜用いることができるが、本発明に用いる界面活性剤として、塩化ドデシルトリメチルアンモニウム、ドデシル硫酸ナトリウム、またはオクタエチレングリコールモノドデシルエーテルが好適である。これらの界面活性剤の２以上を混合して用いることもできる。界面活性剤を添加する場合は、水の重量に対して０．０５％〜２０％、好ましくは０．５％〜１０％、さらに好ましくは１％〜５％混合することができる。
【００２９】
これらの成分に加えて、ケイ素四面体シート中の陽イオンとセシウムイオンとの交換を促進させるためのイオン交換促進剤を適宜添加することができる。このような機能が期待できる化合物として、例えばシクロデキストリン類が挙げられる。この他、使用の現場の状況に応じて、通常洗浄剤に使用される添加剤を適宜加えることができる。例えば、酸化防止剤、安定剤、発泡剤等を使用することができる。
【００３０】
本発明の放射能汚染物質洗浄剤は、各成分を適切な量で混合することにより得られる。例えば、塩化マグネシウム、およびヒドロキシエチルセルロースを含む放射能汚染物質洗浄剤は、これらの各成分を水に添加し、よく撹拌して混合水溶液の状態で得ることができる。例えば、水の重量に対して塩化マグネシウムを１％〜４０％、およびヒドロキシエチルセルロースを０．１％〜１０％となるように秤量し、これらを混合することができる。さらに好ましい放射能汚染物質洗浄剤は、水の重量に対して塩化マグネシウムを１０％〜２０％、およびヒドロキシエチルセルロースを０．５％〜２％含むものである。
【図面の簡単な説明】
【００３１】
【図１】２：１型層状ケイ酸塩鉱物の構造を模式的に表した図である。
【図２】ケイ素四面体シートを上から見たときの構造を模式的に表した図である。
【図３】２：１型層状ケイ酸塩鉱物中に、セシウムイオンが固定されている様子を模式的に表した図である。
【図４】フッ化物イオンによりケイ素四面体シートが破壊される様子を模式的に表した図である。
【図５】放射能汚染物質除去性能の評価方法を説明した図である。
【発明を実施するための形態】
【００３２】
本発明の放射能汚染物質洗浄剤は、放射能汚染物質と接触させて、放射性物質を除染することができる。例えば本発明の放射能汚染物質洗浄剤を土壌の除染に用いる場合、含有されている放射性物質の量にもよるが、通常は放射性物質を含有する土の体積を基準として１倍〜１０００倍、好ましくは３倍〜５００倍、さらに好ましくは５倍〜１００倍の放射能汚染物質洗浄剤を使用する。除染すべき土を適当な容器に入れ、ここに本発明の汚染物質洗浄剤を添加する。放射性物質を含有する土と洗浄剤とを撹拌してよく混合し、次いで静置して土を沈殿させる。放射性物質は上澄み液に移動して、上澄み液が放射能汚染水となるため、これを除くことにより、放射性物質を含有しない土を得ることができる。
【００３３】
上記の洗浄方法は、室温付近で行うことが好ましく、洗浄の効果を高めるために温度を高くすることもできる。たとえば、６０℃以上、好ましくは８０℃以上、さらに好ましくは１００℃以上で洗浄することができる。また放射能汚染物質洗浄剤と放射能汚染物質とを接触させる際の撹拌は、磁気撹拌子を用いたスターラーを使用することができ、洗浄の効果を高めるために、撹拌羽根等を備えた撹拌機を用いる等して、激しく撹拌することができる。具体的には、接触操作に用いる容器全体を撹拌することができる形状をした撹拌羽根を使用して、好ましくは回転速度１００ｒｐｍ以上、さらに好ましくは２００ｒｐｍ以上で撹拌すると良い。このような洗浄方法を１回、あるいは場合により複数回繰り返すことにより、放射性物質をほぼ確実に水に移行させることができる。
【００３４】
土壌の放射能汚染が広範にわたっている場合、放射性物質を含有する土壌に本発明の放射能汚染物質洗浄剤を直接噴霧して、除染することもできる。この場合、除染対象面積１ｍ２に対し、およそ１０Ｌ〜１０００Ｌ、好ましくは３０Ｌ〜５００Ｌ、さらに好ましくは５０Ｌ〜１００Ｌの放射能汚染物質洗浄剤を噴射することができる。
【００３５】
本発明の放射能汚染物質洗浄剤をゼオライトの除染に用いる場合、含有されている放射性物質の量にもよるが、通常は放射性物質を含有するゼオライトの体積を基準として１倍〜１０００倍、好ましくは２倍〜５００倍、さらに好ましくは５倍〜１００倍の放射能汚染物質洗浄剤を使用する。除染すべきゼオライトを適当な容器に入れ、ここに本発明の汚染物質洗浄剤を添加する。放射性物質を含有するゼオライトと洗浄剤とを撹拌してよく混合し、次いで静置してゼオライトを沈殿させる。放射性物質は上澄み液に移動して放射性物質汚染水となるため、これを除くことにより、放射性物質を含有しないゼオライトを得ることができる。ゼオライトを除染する場合は、ゼオライトをカラム状容器に詰め、ここに本発明の放射能汚染物質洗浄剤を流通させることにより放射性物質を除去することも可能である。この場合、含有されている放射性物質の量にもよるが、通常は放射性物質を含有するゼオライトの体積を基準として１倍〜１００倍、好ましくは２倍〜５０倍、さらに好ましくは５倍〜１０倍の放射能汚染物質洗浄剤を使用する。上記の洗浄方法は、室温付近で行うことができ、洗浄の効果を高めるために温度を高くすることもできる。たとえば、６０℃以上、好ましくは８０℃以上、さらに好ましくは１００℃以上で洗浄することができる。また放射能汚染物質洗浄剤と放射能汚染ゼオライトとを接触させる場合も、磁気撹拌子を用いたスターラーを使用することができ、洗浄の効果を高めるために、撹拌羽根等を備えた撹拌機を用いる等して、激しく撹拌することもできる。このような洗浄方法を１回、あるいは場合により複数回繰り返すことにより、放射性物質をほぼ確実に水に移行させることができる。
【００３６】
放射能汚染物質洗浄剤による処理により得られた放射性物質汚染水は、少量であればそのまま保管することもできるが、大量の場合は、さらにシクロデキストリンポリマーなどの放射性物物質選択固着剤を使用して、放射性物質を該固着剤に吸着させることが好適である。シクロデキストリンポリマーとは、例えば特願２０１２−５００６０１号、特願２０１２−１０５３０７号、特願２０１２−１５２４１６号などに記載されているシクロデキストリンと有機二塩基酸または有機二塩基酸ハロゲン化物とが縮合したタイプのポリマーが挙げられる。シクロデキストリンポリマーは、末端基に多価アルコール類、多価アリールアルコール類、または多価カルボン酸類等を反応させて、アルキル基、またはアリール基を有したタイプのものであって良く、水を反応させて得た、末端基を有していない（すなわち水酸基−ＯＨ）タイプのものであっても良い。かかるシクロデキストリンポリマーは、放射性物質を選択的に固着することが本発明者らによって確かめられており、わずかな放射性物質に汚染された大量の水などから放射性物質を選択的に固着させることに有用である。ここでシクロデキストリンとは、数分子のＤ−グルコースがα（１→４）グルコシド結合によって結合し環状構造をとったオリゴ糖の一種である。一般的にグルコースが６個、７個または８個結合したものが知られており、それぞれ、α−シクロデキストリン、β−シクロデキストリン、γ−シクロデキストリンと称される。また有機二塩基酸とは、例えば、脂肪族ジカルボン酸、芳香族ジカルボン酸、脂環族ジカルボン酸、脂肪酸を含み、本発明においては、シクロデキストリン分子中の−ＣＨ２ＯＨ基と反応して逐次縮合し、ポリマーを形成しうる化合物のことであり、有機二塩基酸ハロゲン化物とは、これらの酸のハロゲン化物のことである。有機二塩基酸および有機二塩基酸ハロゲン化物として、例えばテレフタル酸、イソフタル酸、グルタル酸、アジピン酸、マレイン酸、フマル酸、フタル酸およびこれらの塩化物、臭化物ならびにヨウ化物等が挙げられ、特にテレフタル酸またはテレフタル酸ジクロライド（二塩化テレフタロイル）を用いたものが好適に使用される。放射性物質汚染水中の放射性物質の固着には、上記のシクロデキストリンポリマー吸着剤を利用することが望ましいが、放射性物質を有効に固着することができる物質であれば、どのようなものを利用しても良い。例えば、フェロシアン酸塩等の無機金属塩等の従来から知られている無機吸着剤あるいは有機吸着剤を利用することができる。
【００３７】
本発明の放射能汚染物質洗浄剤は、土、ゼオライトの他、放射性物質で汚染された物質全般の除染に用いることができる。例えば、放射性物質がかかった書類などの紙類、家屋、屋根、壁、樹木、アスファルトまたはコンクリート、除染作業者の衣類等の除染を行うことができる。本発明の放射能汚染物質洗浄剤は、特に除染し難いと云われているセシウムを効率的に除去することができるため、安全な環境を提供することが可能である。本発明の放射能汚染物質洗浄剤は、市販の試薬レベルの薬品を混合するだけで製造することができるため、使用に際して必要量を製造し、これを簡易に用いることができる。
【実施例】
【００３８】
［フッ化物イオンを含む洗浄剤］放射能汚染物質洗浄剤の調製（洗浄剤１）
ビーカー（５００ｍＬ）に水（３００ｍＬ）を入れ、氷浴につけた。次いで硫酸（２２ｇ、キシダ化学）を加えた。次に塩化カリウム（４０ｇ、純正化学）とフッ化カリウム（４０ｇ、純正化学）をゆっくり加えた。ビーカーを氷浴から取り出した後、ヒドロキシエチルセルロース（粘度：４５００〜６５００ｍＰａ・秒、４ｇ、東京化成工業）を加え、室温で完全に溶解するまで撹拌した。最後に水を加えて全量を４００ｍＬに調整した。
【００３９】
［フッ化物イオンを含む洗浄剤］放射能汚染物質洗浄剤の調製（洗浄剤２）
ビーカー（５００ｍＬ）に水（３００ｍＬ）を入れ、氷浴につけた。次いで硫酸（２２ｇ、キシダ化学）及びクエン酸（２０ｇ、キシダ化学）を加えた。次に塩化カリウム（４０ｇ、純正化学）とフッ化カリウム（４０ｇ、純正化学）をゆっくり加えた。ビーカーを氷浴から取り出した後、ヒドロキシエチルセルロース（粘度：４５００〜６５００ｍＰａ・秒、４ｇ、東京化成工業）を加え、室温で完全に溶解するまで撹拌した。最後に水を加えて全量を４００ｍＬに調整した。
【００４０】
［フッ化物イオンを含まない洗浄剤］放射能汚染物質洗浄剤の調製（比較洗浄剤１）
ビーカー（５００ｍＬ）に水（３００ｍＬ）を入れ、氷浴につけた。次いで硫酸（２２ｇ、キシダ化学）を加えた。次に塩化マグネシウム（４０ｇ、純正化学）をゆっくり加えた。ビーカーを氷浴から取り出した後、ヒドロキシエチルセルロース（粘度：４５００〜６５００ｍＰａ・秒、４ｇ、東京化成工業）を加え、室温で完全に溶解するまで撹拌した。最後に水を加えて全量を４００ｍＬに調整した。
【００４１】
［フッ化物イオンを含まない洗浄剤］放射能汚染物質洗浄剤の調製（比較洗浄剤２）
ビーカー（５００ｍＬ）に水（３００ｍＬ）を入れ、氷浴につけた。次いで硫酸（２２ｇ、キシダ化学）及びクエン酸（２０ｇ、キシダ化学）を加えた。次に塩化マグネシウム（４０ｇ、純正化学）をゆっくり加えた。ビーカーを氷浴から取り出した後、ヒドロキシエチルセルロース（粘度：４５００〜６５００ｍＰａ・秒、４ｇ、東京化成工業）を加え、室温で完全に溶解するまで撹拌した。最後に水を加えて全量を４００ｍＬに調整した。
【００４２】
［実施例１］放射能汚染土の洗浄
５００ｍＬの三角フラスコに、放射能汚染物質（放射能汚染土）（福島県より採取、放射線量３５８２６．１Ｂｑ/ｋｇ、４ｇ）と洗浄剤１（４００ｇ、放射能汚染土の重量の１００倍）とを入れ、温度３０℃で、回転速度５００ｒｐｍのスターラーを用いて２４時間撹拌した。撹拌終了後、吸引ろ過を行い、土壌と放射性物質汚染水を回収した。回収した土壌中の放射性セシウム濃度を線量測定装置(EMF211、EMFジャパン株式会社)で測定し、放射性セシウムの除染率を算出した。同様に、洗浄剤２（４００ｇ、放射能汚染土の重量の１００倍）を用いて、放射能汚染土を洗浄し、除染率を算出した。
【００４３】
［比較実施例１］従来型フッ化物イオンを含まない洗浄剤による放射能汚染土の洗浄
実施例１と同様に、洗浄剤として比較洗浄剤１を用いて放射能汚染土を洗浄した。同様に比較洗浄剤２を用いて放射能汚染土を洗浄し、除染率を算出した。
【００４４】
なお、放射性物質除去性能の評価方法の概略を図５に説明する。
【００４５】
各洗浄剤を使用した時の汚染土の除染率を表１に示す。フッ化物イオンを含有する洗浄剤１を用いて１回洗浄して、汚染土の放射線量を３０００Ｂｑ／ｋｇ以下に減じることができた。同様にフッ化物イオンを含有する洗浄剤２を用いて１回洗浄して、汚染シルトの放射線量を３０００Ｂｑ／ｋｇ以下に減じることができた。フッ化物イオンを含まない比較洗浄剤１及び２は、１回の洗浄で放射線量３０００Ｂｑ／ｋｇ以下にまで減じることはできなかった。
【００４６】
【表１】
2015036406.tif 000002
【００４７】
［実施例２］洗浄剤使用量の検討
洗浄剤１あるいは洗浄剤２の使用量を２０ｇ（放射能汚染土の重量の５倍）にしたこと以外は、実施例１と同様に放射能汚染土を洗浄した。
【００４８】
［比較実施例２］洗浄剤使用量の検討
比較洗浄剤１あるいは比較洗浄剤２の使用量を２０ｇ（放射能汚染土の重量の５倍）にしたこと以外は、比較実施例１と同様に放射能汚染土を洗浄した。
【００４９】
各洗浄剤を使用したときの除染率を表２に示す。フッ化物イオンを含有する洗浄剤１（２０ｇ）を用いて１回洗浄して、除染率８４．５％を達成できた。同様にフッ化物イオンを含有する洗浄剤２（２０ｇ）を用いて１回洗浄して、除染率８２．８％を達成できた。フッ化物イオンを含む洗浄剤は、洗浄剤を大量に使用しなくても、８０％以上程度の高い除染率を達成できることがわかる。一方フッ化物イオンを含まない比較洗浄剤１及び２は、洗浄剤使用量を減らすと効果的に除染することはできなかった。
【００５０】
【表２】
2015036406.tif 000003
【００５１】
［実施例３］放射能汚染シルトの洗浄
放射能汚染土を大型篩機（会社名：バウアー）とサイクロン機（会社名：バウアー）を使用して粒径および比重の違いにより分級し、平均粒径７５μｍの放射性物質汚染シルトを得た。この放射能汚染シルト（福島県より採取、放射線量３５８２６．１Ｂｑ/ｋｇ、４ｇ）を、上記の実施例１と同様に、洗浄剤２を用いて放射能汚染シルトを洗浄し、除染率を算出した。
【００５２】
［比較実施例３］放射能汚染シルトの洗浄
比較洗浄剤２を用いて、実施例３と同様に放射能汚染シルトを洗浄した。同様に比較洗浄剤２を用いて放射能汚染シルトを洗浄し、除染率を算出した。
【００５３】
各洗浄剤を使用した時の汚染シルトの除染率を表３に示す。フッ化物イオンを含有する洗浄剤１あるいは洗浄剤２を用いて１回洗浄して、除染率８０％以上を達成できた。一方、フッ化物イオンを含まない比較洗浄剤１あるいは２は、１回の洗浄で高い除染率を達成することはできなかった。
【００５４】
【表３】
2015036406.tif 000004
【００５５】
［実施例４］洗浄剤使用量の検討
洗浄剤１の使用量を２０ｇ（放射能汚染シルトの重量の５倍）にしたこと以外は、実施例３と同様に放射能汚染シルトを洗浄した。また洗浄剤２の使用量を２０ｇ（放射能汚染シルトの重量の５倍）にしたこと以外は、実施例１と同様に放射能汚染シルトを洗浄した。
【００５６】
［比較実施例４］洗浄剤使用量の検討
比較洗浄剤１の使用量を２０ｇ（放射能汚染シルトの重量の５倍）にしたこと以外は、比較実施例３と同様に放射能汚染シルトを洗浄した。また比較洗浄剤２の使用量を２０ｇ（放射能汚染シルトの重量の５倍）にしたこと以外は、実施例３と同様に放射能汚染シルトを洗浄した。
【００５７】
各洗浄剤を使用したときの除染率を表４に示す。フッ化物イオンを含有する洗浄剤１（２０ｇ）を用いて１回洗浄して、除染率７１．６％を達成できた。同様にフッ化物イオン及びクエン酸を含有する洗浄剤２（２０ｇ）を用いて１回洗浄して、除染率６９．５％を達成できた。フッ化物イオンを含む洗浄剤は、洗浄剤を大量に使用しなくても、７０％以上程度の高い除染率を達成できることがわかる。一方フッ化物イオンを含まない比較洗浄剤１及び２は、洗浄剤使用量を減らすと効果的に除染することはできなかった。
【００５８】
【表４】
2015036406.tif 000005
【００５９】
［実施例５］放射能汚染土の除染率の経時変化の検討
フッ化物イオンを含む洗浄剤１を用いて実施例１と同様に放射能汚染土の洗浄を開始し、撹拌後１５分間、３０分間、４５分間、１時間、３時間、５時間、７時間、９時間、１２時間、２４時間経過後の土壌を回収し、放射性セシウム濃度を線量測定装置(EMF211、EMFジャパン株式会社)で測定し、放射性セシウムの除染率を算出した。結果を表５に示す。フッ化物を含む洗浄剤１を用いて、約５時間経過後に３０００Ｂｑ／ｋｇ以下の放射線量を達成することができた。
【００６０】
【表５】
2015036406.tif 000006
【００６１】
［比較実施例５］放射能汚染土の除染率の経時変化の検討
フッ化物イオンを含まない比較洗浄剤１を用いて比較実施例１と同様に放射能汚染土の洗浄を開始し、撹拌後１５分間、３０分間、４５分間、１時間、３時間、５時間、７時間、９時間、１２時間、２４時間経過後の土壌を回収し、放射性セシウム濃度を線量測定装置(EMF211、EMFジャパン株式会社)で測定し、放射性セシウムの除去率を算出した。結果を表６に示す。フッ化物を含まない比較洗浄剤１を用いると、２４時間撹拌してようやく８０％程度の除染率を達成できる。
【００６２】
【表６】
2015036406.tif 000007
【００６３】
［実施例６］放射能汚染シルトの除染率の経時変化の検討
フッ化物イオンを含み、クエン酸を含まない洗浄剤１を用いて実施例３と同様に放射能汚染シルトの洗浄を開始し、撹拌後１５分間、３０分間、４５分間、１時間、３時間、５時間、７時間、９時間、１２時間、２４時間経過後のシルトを回収し、放射性セシウム濃度を線量測定装置(EMF211、EMFジャパン株式会社)で測定し、放射性セシウムの除染率を算出した。結果を表７に示す。フッ化物を含む洗浄剤１を用いて、約１時間経過後に７４．１％、１２時間後には９１．６％の除染率を達成することができた。そして、２４時間後には９５．３％ の除染率を達成した。
【００６４】
【表７】
2015036406.tif 000008
【００６５】
［比較実施例６］放射能汚染シルトの除染率の経時変化の検討
フッ化物イオンを含まずクエン酸を含む比較洗浄剤２を用いて比較実施例３と同様に放射能汚染シルトの洗浄を開始し、撹拌後１５分間、３０分間、４５分間、１時間、３時間、５時間、７時間、９時間、１２時間、２４時間経過後のシルトを回収し、放射性セシウム濃度を線量測定装置(EMF211、EMFジャパン株式会社)で測定し、放射性セシウムの除染率を算出した。結果を表８に示す。フッ化物を含まずクエン酸を含む比較洗浄剤２を用いると、２４時間経過後にようやく７２．１％の除染率を達成することができた。
【００６６】
【表８】
2015036406.tif 000009
【００６７】
［実施例７］振とう法による放射能汚染シルトの洗浄
放射能汚染シルトをさらに短時間で洗浄するため、実施例６の洗浄方法を変更した。ポリ便（５００ｍＬ）に放射能汚染シルト（４ｇ、福島県で採取）と洗浄剤１（４００ｍＬ）を入れ、振とう機に設置して、３００ｒｐｍ、３０℃で振とうを開始した。振とう開始後、１５分間、３０分間、４５分間、１時間、３時間、５時間、７時間、９時間、１２時間、２４時間経過後に振とう液の一部を回収し、吸引濾過を行い、シルトと汚染水とを回収した。回収したシルト中の放射性セシウム濃度を線量測定装置(EMF211、EMFジャパン株式会社)で測定し、放射性セシウムの除染率を算出した。結果を表９に示す。洗浄剤１を用い、振とう法により放射能汚染シルトを洗浄することにより、放射線量３０００Ｂｑ／ｋｇ以下を９時間で達成することができた。この理由として、実施例６の撹拌法では、放射能汚染シルトが液中を対流しているのみであり、物理的な力がほとんど加わることがないため、洗浄剤が放射能汚染シルトの内部にまで浸透しづらく、よってセシウムの抽出効果が比較的低いと考えられる。一方、振とう法によると、放射能汚染シルト同士がぶつかり合い、物理的な力が加わることによって、洗浄剤が放射能汚染シルトの内部にまで浸透し、よって効果的にセシウムを抽出することができると考えられる。このように、フッ化物イオンを含有する洗浄剤を利用して、さらに放射能汚染物質と洗浄剤との好適な接触方法を採用することによって、再利用可能な洗浄土壌または洗浄シルトを短時間で得ることが可能となる。
【００６８】
【表９】
2015036406.tif 000010
【図１】
2015036406.tif 000011
【図２】
2015036406.tif 000012
【図３】
2015036406.tif 000013
【図４】
2015036406.tif 000014
【図５】
2015036406.tif 000015